(57)【特許請求の範囲】
【請求項１】
網状パネルと、この網状パネルの周縁を支持する支持片を下部に有し上部に頭部を有するバーと、このバーの前記頭部に冠合する逆Ｕ字形の取付部を有しこの取付部の下部に連接されて前記網状パネルの周縁を前記支持片に押さえる押さえ片を有しさらに前記取付部の下部側から上方に延出して上端が前記頭部の首部に抜止め係止する係止部を有する取付具とを備え、
前記網状パネルは複数の棒材を格子状に組み合わせてなり、前記押さえ片は前記取付部の下部から側方に離れて位置する立板であり、その下縁に前記網状パネルの前記バーに直角な棒材に係合する切欠を形成し、前記押さえ片と前記取付部の下部との間に前記網状パネルの前記バーに平行な棒材を受ける受け溝を形成した網状パネル取付装置。
【請求項２】
網状パネルと、この網状パネルの周縁を支持する支持片を下部に有し上部に頭部を有するバーと、このバーの前記頭部に冠合する逆Ｕ字形の取付部を有しこの取付部の下部に連接されて前記網状パネルの周縁を前記支持片に押さえる押さえ片を有しさらに前記取付部の下部側から上方に延出して上端が前記頭部の首部に抜止め係止する係止部を有する取付具とを備え、
前記網状パネルは複数の棒材を格子状に組み合わせてなり、前記押さえ片は前記網状パネルの前記バーに平行な棒材に外れ止め係合する係合片を垂下し、この係合片に前記網状パネルの前記バーに直角な棒材を通す切欠部を設けた網状パネル取付装置。
【発明の詳細な説明】
【０００１】
【産業上の利用分野】
この発明は、システム天井などの天井に網状パネルを取付ける網状パネル取付装置に関するものである。
【０００２】
【従来の技術】
網状パネルは、複数の棒材を格子状に配置し交差部を溶接等により接合したものであり、体育館や展示場等で使用されている。この網状パネルは、体育館ではボールに対する天井板や照明器具の保護のため、また展示場では網状パネルに物を引掛けて展示する場合もあり、いずれも網状パネルに外力や負荷がかかりやすい。また体育館やホールは大面積のラーメン構造で地震による振動や変形の影響を受けやすく、従来天井板や網状パネルが落下した被害もでている。
【０００３】
このような網状パネルの網状パネル取付装置の第１の従来例を図９に示す。すなわち、この網状パネル取付装置は、棒材７０，７１を網状に組んだメッシュパネルである網状パネル７２と、この網状パネル７２の周縁を支持する支持片７３を下部に有し、上部に頭部７４を有するＴバー７５と、このＴバーの頭部７４に冠合する逆Ｕ字形の取付部７６を有し、この取付部７６の下部に連接されて網状パネル７２のＴバー７５に平行な棒材７１を受ける受け部７７を有し、さらに取付部７６の下部から上方に延出して上端が頭部７４の首部７４ａに係止する爪７８を有するステンレス等のばね材により形成した取付具７９とを備えている。この網状パネル取付装置は、Ｔバー７５の頭部７４から取付具７９を押し込み冠合し、Ｔバー７５の頭部７４の首部７４ａに爪７８が引っ掛かることにより取付具７９が抜け止めされる。また網状パネル７２は棒材７１が受け部７７に入ることにより取付けられる。
【０００４】
第２の従来例を図１０に示す。すなわち、この網状パネル取付装置は、取付具８０を一対の挟持片８１，８２により形成し、挟持片８１，８２はそれぞれ頭部７４に係合する凹部を形成し、ビス８４で挟持片８１，８２を締めつけることにより頭部７４を挾み込んで固定している。また受け部８３は棒材７１を囲むように形成して地震時に受け部８３から外れないようにしている。Ｔバー７５および網状パネル７２の構成は第１の従来例と同様である。
【０００５】
【発明が解決しようとする課題】
しかし、第１の従来例は、地震、振動や外力等により網状パネル７２が受け部７７から抜けやすく、網状パネル７２が落下する危険があった。
第２の従来例は、振動等でも網状パネル７２が受け部８３から外れにくいが、網状パネル７２をＴバー７５に載せてから取付具８０を取付けるため、網状パネル７２の格子目を通して手を入れてビス８０を締める必要があり、取付作業が容易でなかった。とくに格子目が小さくなると作業性が非常に悪くなり、格子寸法が５０ｍｍ程度以下では手が入らないという欠点があった。
【０００６】
また取付具８０の受け部８３は棒材７１が外れないように包囲する構成のため、網状パネル７２と棒材７１との間に隙間が生じやすく、網状パネル７２のがたつきが生じ、地震時には振動やがたつきにより取付具８０が変形し、網状パネル７２が外れる可能性があった。
したがって、この発明の目的は、網状パネルが振動等によって外れにくく、しかも取付けが簡単な網状パネル取付装置を提供することである。
【０００７】
【課題を解決するための手段】
請求項１の網状パネル取付装置は、網状パネルと、この網状パネルの周縁を支持する支持片を下部に有し上部に頭部を有するバーと、このバーの前記頭部に冠合する逆Ｕ字形の取付部を有しこの取付部の下部に連接されて前記網状パネルの周縁を前記支持片に押さえる押さえ片を有しさらに前記取付部の下部側から上方に延出して上端が前記頭部の首部に抜止め係止する係止部を有する取付具とを備え、
前記網状パネルは複数の棒材を格子状に組み合わせてなり、前記押さえ片は前記取付部の下部から側方に離れて位置する立板であり、その下縁に前記網状パネルの前記バーに直角な棒材に係合する切欠を形成し、前記押さえ片と前記取付部の下部との間に前記網状パネルの前記バーに平行な棒材を受ける受け溝を形成したものである。
【０００９】
請求項２の網状パネル取付装置は、網状パネルと、この網状パネルの周縁を支持する支持片を下部に有し上部に頭部を有するバーと、このバーの前記頭部に冠合する逆Ｕ字形の取付部を有しこの取付部の下部に連接されて前記網状パネルの周縁を前記支持片に押さえる押さえ片を有しさらに前記取付部の下部側から上方に延出して上端が前記頭部の首部に抜止め係止する係止部を有する取付具とを備え、
前記網状パネルが複数の棒材を格子状に組み合わせてなり、前記押さえ片は前記網状パネルの前記バーに平行な棒材に外れ止め係合する係合片を垂下し、この係合片に前記網状パネルの前記バーに直角な棒材を通す切欠部を設けたものである。
【００１０】
【作用】
請求項１の網状パネル取付装置によれば、網状パネルの周縁部を押さえ片で支持片に押し付けて固定するため、網状パネルをがたつきなく強固に取付けることができる。このため網状パネルが振動等によって外れにくくなる。しかも取付部をバーの頭部に冠合し係止部を首部に抜止め係止するため、取付けが簡単に行える。
【００１１】
さらに取付具をバーの頭部に冠合し、網状パネルのバーに平行な棒材を受け溝に嵌め、取付具をバーに沿ってスライドして切欠をバーに直角な棒材に係止することにより、取付具をバーに取付けた後、網状パネルを支持片に載せ棒材を受け溝に嵌めることができ、しかも取付具がバーの長手方向に移動するのを阻止できるとともに、取付作業をより一層簡単にすることができる。
【００１２】
請求項２の網状パネル取付装置によれば、網状パネルの周縁部を押さえ片で支持片に押し付けて固定するため、網状パネルをがたつきなく強固に取付けることができる。このため網状パネルが振動等によって外れにくくなる。しかも取付部をバーの頭部に冠合し係止部を首部に抜止め係止するため、取付けが簡単に行える。さらに係合片によりバーに平行な棒材を確実に外れ止めでき、また切欠部により取付具がバーの長手方向に移動するのを阻止することができる。
【００１３】
【実施例】
この発明の第１の実施例を図１ないし図８により説明する。すなわち、この網状パネル取付装置は、網状パネル１と、バー２と、取付具３とを有する。
網状パネル１は、バー２の長手方向に直角な縦棒材４とバー２の長手方向に平行な横棒材５を格子状に組み合わせてなり、交差点は接合されている。実施例の棒材は線径５ｍｍ程度であり、５０〜１５０ｍｍ程度の格子状に組み、交差部は溶接等で止めている。
【００１４】
バー２は、網状パネル１の周縁を支持する支持片６を下部に有し、上部に頭部７を有するものである。実施例は頭部を有するＴバーを用い、図２に示すようにメインＴバー２ａとこれに交差するクロスＴバー２ｂで格子状に組み、その大きさは１０００ｍｍ×１５００ｍｍ程度としている。支持片６はＴバーのフランジを利用している。
【００１５】
取付具３は、バー２の頭部７に冠合する逆Ｕ字形の取付部８を有し、この取付部８の下部に連接されて網状パネル１の周縁を支持片６に押さえる押さえ片９を有し、さらに取付部８の下部側から上方に延出して上端が頭部７の首部１０に抜止め係止する係止部１１を有する。実施例では図２に示すようにメインＴバー２ａに１モジュールにつき４個の割合で設けている。押さえ片９は取付部８の下部から側方に離れて位置する立板であり、その下縁に網状パネル１のバー２に直角な縦棒材４に係合する切欠１２を形成し、押さえ片９と取付部８の下部との間に網状パネル１のバー２に平行な横棒材５を受ける受け溝１３を形成している。
【００１６】
実施例の取付具３は図３および図４に示すように、全体が逆Ｕ字形に形成され、両端を外向きに折り返して押さえ片９および受け溝１３を形成し、押さえ片９の一端に切欠１２を形成している。また頭部７に嵌合できるように頭部７の首部に相当する位置を若干狭める段曲げ部１７を形成している。さらに係止部１１は取付部８の側部の略中央に逆Ｕ字形のスリット１８を形成することによりその内側に形成し、係止部１１の中間部を外向きに突出するように屈曲部１６を形成し、上端部に歯部１５を形成している。また屈曲部１６の中央に屈曲部１６を折曲しやすくする角孔１４を形成している。また切欠１２に整合する位置の取付部８の下端部に縦棒材４の端部を逃げる切欠部１９を形成している。
【００１７】
この網状パネル取付装置を用いた網状パネル１の取付方法について説明する。すなわち、図１（ａ）および図４に示すようにバー２に取付具３を被せ、取付部８を頭部７に冠合し、段部１７により首部１０の外縁部に係合する。この状態でバー２の支持片６に網状パネル１の周縁部を載せるとともに受け溝１３に横棒材５を嵌めて仮止め状態とする。つぎに図１（ｂ）に示すように、取付具３をバー２に沿ってスライドし、切欠１２を縦棒材４に係止する。この状態で図６に示すようにかしめ工具２０の先端を網状パネル１の格子目に通して一対の係止部１１の屈曲部１６をつぶすように挾み付け、屈曲部１６を伸ばして歯部１５を首部１０に突っ張るように係止する。これにより取付具３はバー２の下方に押付けられて固定される。また押さえ片９は下向きに移動して切欠１２により縦棒材４を支持片６に押さえ固定する。
【００１８】
図７は取付具３の取付部８を残して約半分を除去した他の実施例であり、バー２の両側に網状パネル１がなく一方のみの場合、たとえば壁際のバー２に使用される。
この実施例によれば、網状パネル１の周縁部を押さえ片９で支持片６に押し付けて固定するため、網状パネル１をがたつきなく強固に取付けることができる。このため網状パネル１が振動等によって外れにくくなる。しかも取付部８をバー２の頭部７に冠合し係止部１１を首部１０に抜止め係止するため、取付けが簡単に行える。
【００１９】
とくに、取付具８をバー２の頭部７に冠合し、網状パネル１のバー１に平行な横棒材５を受け溝１３に嵌め、取付具３をバー２に沿ってスライドして切欠１２をバー２に直角な縦棒材４に係止することにより、取付具３をバー２に取付けた後、網状パネル１を支持片６に載せ横棒材５を受け溝１３に嵌めることができ、しかも取付具３がバー２の長手方向に移動するのを阻止できるとともに、取付作業をより一層簡単にすることができる。
【００２０】
また実施例のように、網状パネル１の仮取付けが完了した後、係止部１１をかしめて本締め固定するので施工が安全である。取付具３が先に取り付けられるので網状パネル１の格子の間から手を入れて取付ける必要がなくなり、作業が簡単になる。また取付具３を固定するときも手首まで網状パネル１の格子目に入れる必要がなく、指先を入れて取付具３をバー２に沿ってスライドさせ、下面からかしめ工具２０を使用して固定できる。さらに係止部１１を加締めているので取付具３が網状パネル１に引っ張られて開いた場合でも、係止部１１がかかっているため取付具３が外れにくい。
【００２１】
この発明の第２の実施例を図８に示す。すなわち、この網状パネル取付装置は、押さえ片９が網状パネル１のバー２に平行な横棒材５に外れ止め係合する係合片２１を垂下し、この係合片２１に網状パネル１のバー２に直角な縦棒材４を通す切欠部２２を設けている。
この実施例は、係合片２１によりバー２に平行な横棒材５を確実に外れ止めでき、また切欠部２２により取付具３がバー２の長手方向に移動するのを阻止することができる。その他は第１の実施例と同様であり、第１の実施例と共通する部分は同一符号を付している。
【００２２】
なお、取付具３をクロスＴバーに取付けてもよい。
【００２３】
【発明の効果】
請求項１の網状パネル取付装置によれば、網状パネルの周縁部を押さえ片で支持片に押し付けて固定するため、網状パネルをがたつきなく強固に取付けることができる。このため網状パネルが振動等によって外れにくくなる。しかも取付部をバーの頭部に冠合し係止部を首部に抜止め係止するため、取付けが簡単に行えるという効果がある。
【００２４】
さらに、取付具をバーの頭部に冠合し、網状パネルのバーに平行な棒材を受け溝に嵌め、取付具をバーに沿ってスライドして切欠をバーに直角な棒材に係止することにより、取付具をバーに取付けた後、網状パネルを支持片に載せ棒材を受け溝に嵌めることができ、しかも取付具がバーの長手方向に移動するのを阻止できるとともに、取付作業をより一層簡単にすることができる。
【００２５】
請求項２の網状パネル取付装置によれば、網状パネルの周縁部を押さえ片で支持片に押し付けて固定するため、網状パネルをがたつきなく強固に取付けることができる。このため網状パネルが振動等によって外れにくくなる。しかも取付部をバーの頭部に冠合し係止部を首部に抜止め係止するため、取付けが簡単に行えるという効果がある。さらに係合片によりバーに平行な棒材を確実に外れ止めでき、また切欠部により取付具がバーの長手方向に移動するのを阻止することができる。
【図面の簡単な説明】
【図１】この発明の第１の実施例の側面図であり、（ａ）は仮取付け状態、（ｂ）は本締め状態である。
【図２】１モジュールの網状パネルを取付けた状態の斜視図である。
【図３】取付具の斜視図である。
【図４】取付具の仮取付け状態の断面図である。
【図５】本締め状態の断面図である。
【図６】かしめ工具により係止部をかしめ状態を説明する断面図である。
【図７】変形例の取付具の斜視図である。
【図８】第２の実施例の斜視図である。
【図９】第１の従来例の断面図である。
【図１０】第２の従来例の断面図である。
【符号の説明】
１    網状パネル
２    バー
３    取付具
４    縦棒材
５    横棒材
６    支持片
７    頭部
８    取付部
９    押さえ片
１０    首部
１１    係止部
【図１】
0003601114.tif 000002
【図２】
0003601114.tif 000003
【図３】
0003601114.tif 000004
【図４】
0003601114.tif 000005
【図５】
0003601114.tif 000006
【図６】
0003601114.tif 000007
【図７】
0003601114.tif 000008
【図８】
0003601114.tif 000009
【図９】
0003601114.tif 000010
【図１０】
0003601114.tif 000011